(57)【要約】【課題】  十分な強度を有し、かつ組み立て形状もコンパクトな簡易便器を提供する。【解決手段】  四角環状に成形された板紙製の外側環状体４と、外側環状体４内に配設され、互いに平行かつ外側環状体４の対向壁４１，４２に平行に延びて両端が、外側環状体４の、対向壁４３，４４の内側面にそれぞれ接合された板紙製の仕切壁５１，５２とを備える。延出片５１１，５２１を対向壁４１，４２との間の空間Ｓ１，Ｓ２内へ折り曲げるとともに延出片４１１，４２１を延出片５１１，５２１を覆うように折り曲げて支持部を形成し、延出片４３１，４４１を左右の仕切壁５１，５２の間の空間Ｓ３内へ折り曲げるとともに延出片４３２，４４２を各仕切壁５１，５２と対向壁４１，４２との間の空間Ｓ１，Ｓ２内へ折り曲げて連結壁を構成する。【選択図】        図２
2009100838.tif 000002
【特許請求の範囲】
【請求項１】
下方へ開放する略逆Ｕ字断面に成形されて左右位置で前後方向へ平行に延びる支持部、および左右の前記支持部を連結する連結壁を有する紙製の基台と、少なくとも左右の前記支持部間の空間内に上方へ向く凹陥状に挿置される液不透過性のシート材とを備える簡易便器であって、四角環状に成形された板紙製の外側環状体と、前記外側環状体内に配設され、互いに平行かつ前記外側環状体の一方の対向壁に平行に延びて両端が、前記外側環状体の、他方の対向壁の内側面にそれぞれ接合された板紙製の仕切壁とを備え、前記外側環状体の前記一方の対向壁にそれぞれ上方へ延びる第１延出片を形成するとともに、前記他方の対向壁には左右の前記仕切壁の間でそれぞれ上方へ延びる第２延出片と、左右の前記仕切壁と前記一方の対向壁との間で下方へ延びる第３延出片とを形成し、かつ前記各仕切壁には上方へ延びる第４延出片を形成して、前記第４延出片を前記一方の対向壁との間の空間内へ折り曲げるとともに前記第１延出片を前記第４延出片を覆うように折り曲げて前記支持部を形成し、前記第２延出片を左右の前記仕切壁の間の空間内へ折り曲げるとともに前記第３延出片を前記各仕切壁と前記一方の対向壁との間の空間内へ折り曲げて前記連結壁を構成したことを特徴とする簡易便器。
【発明の詳細な説明】
【技術分野】
【０００１】
本発明は簡易便器に関し、特に紙製で折畳み可能な簡易便器に関する。
【背景技術】
【０００２】
この種の簡易便器としては特許文献１に示されたものがある。これは一枚の板紙を打ち抜き成形したもので、組み立てる場合には全体を起立した筒状に折り曲げて胴体部とするとともに、当該胴体部の上端に形成された便座形成パネルを水平に折り曲げて便座部とするものである。
【０００３】
【特許文献１】特開２００３−１９０８７
【発明の開示】
【発明が解決しようとする課題】
【０００４】
しかし、上記従来の簡易便器は、板紙を筒状に折り曲げて成形した胴体部の強度が未だ十分でないとともに、組み立てた便器形状が既存の便器形状に近い異形体であるために、特に自動車の車内等では使用後はその都度折り畳まないと収納場所が確保できない場合があった。
【０００５】
そこで、本発明はこのような課題を解決するもので、十分な強度を有し、かつ組み立て形状もコンパクトな簡易便器を提供することを目的とする。
【課題を解決するための手段】
【０００６】
上記目的を達成するために、本発明では、下方へ開放する略逆Ｕ字断面に成形されて左右位置で前後方向へ平行に延びる支持部（１１Ａ，１１Ｂ）、および左右の支持部（１１Ａ，１１Ｂ）を連結する連結壁（１２Ａ，１２Ｂ）を有する紙製の基台（１）と、少なくとも左右の支持部（１１Ａ，１１Ｂ）間の空間（Ｓ３）内に上方へ向く凹陥状に挿置される液不透過性のシート材（２）とを備える簡易便器であって、四角環状に成形された板紙製の外側環状体（４）と、外側環状体（４）内に配設され、互いに平行かつ外側環状体（４）の一方の対向壁（４１，４２）に平行に延びて両端が、外側環状体（４）の、他方の対向壁（４３，４４）の内側面にそれぞれ接合された板紙製の仕切壁（５１，５２）とを備え、外側環状体（４）の一方の対向壁（４１，４２）にそれぞれ上方へ延びる第１延出片（４１１，４２１）を形成するとともに、他方の対向壁（４３，４４）には左右の仕切壁（５１，５２）の間でそれぞれ上方へ延びる第２延出片（４３１，４４１）と、左右の仕切壁（５１，５２）と一方の対向壁（４１，４２）との間で下方へ延びる第３延出片（４３２，４４２）とを形成し、かつ各仕切壁（５１，５２）には上方へ延びる第４延出片（５１１，５２１）を形成して、第４延出片（５１１，５２１）を一方の対向壁（４１，４２）との間の空間（Ｓ１，Ｓ２）内へ折り曲げるとともに第１延出片（４１１，４２１）を第４延出片（５１１，５２１）を覆うように折り曲げて上記支持部（１１Ａ，１１Ｂ）を形成し、第２延出片（４３１，４４１）を左右の仕切壁（５１，５２）の間の空間（Ｓ３）内へ折り曲げるとともに第３延出片（４３２，４４２）を各仕切壁（５１，５２）と一方の対向壁（４１，４２）との間の空間（Ｓ１，Ｓ２）内へ折り曲げて上記連結壁（１２Ａ，１２Ｂ）を構成する。なお、上記カッコ内の符号は、後述する実施形態に記載の具体的手段との対応関係を示すものである。
【０００７】
本発明においては、基台は逆Ｕ字断面の左右の支持部を連結部で連結した構造となっているとともに、これら支持部、連結部が共に二重の板紙で構成されるから、荷重に対して十分な耐久力を発揮する。そして、組み立てられた基台は全体が略直方体であるから、自動車の車内にコンパクトに収納できる。さらに、基台は板紙二枚程度の厚みの平板状に折畳むことができるから、搬送容易であるとともに、折畳んだ状態で自動車の車内の空きスペースにさらに容易に収納することができる
【発明の効果】
【０００８】
以上のように、本発明の簡易便器は、十分な強度を有し、かつ組み立て形状もコンパクトなものである。
【発明を実施するための最良の形態】
【０００９】
図１には簡易便器の外観を示す。簡易便器は紙製の基台１を備えており、基台１は左右に位置して前後方向へ平行に延びる支持部１１Ａ，１１Ｂと、これら支持部１１Ａ，１１Ｂの間を連結する連結壁１２Ａ，１２Ｂを有している。支持部１１Ａ，１１Ｂは矩形の長尺体で、下方へ開放する略Ｕ字断面に成形されている。
【００１０】
基台１の上方からはポリエチレン等で成形された、液不透過性のシート材たる排泄袋２が被せられ、排泄袋２はその一部が、左右の支持部１１Ａ，１１Ｂ間の空間Ｓ３内に上方へ向く凹陥状に挿置されている。排泄袋２の凹陥部２１には不織布等からなる吸収シート３が載置されている。
【００１１】
上記基台１は平板状に折畳まれた状態から以下の手順で組み立てられる。図２は、折畳んだ状態から展開した直後の基台１を示す。基台１はダンボール等の板紙を四角環状に成形した外側環状体４を有している。この外側環状体４内には、互いに平行かつ外側環状体の対向壁４１，４２に平行に延びて、外側環状体４の内空間を左右に三等分する仕切壁５１，５２が設けられており、これら仕切壁５１，５２の両端は外側環状体４の対向壁４３，４４の内側面に接合されている。
【００１２】
外側環状体４の対向壁４１，４２にはそれぞれ上縁に、上方へ延びる相対的に大きな矩形の延出片４１１，４２１が形成されている。また、外側環状体４の対向壁４３，４４には左右の仕切壁５１，５２の間の上縁に、上方へ延びる相対的に小さな矩形の延出片４３１，４４１が形成されるとともに、左右の各仕切壁５１，５２と対向壁４１，４２との間の対向壁４３，４４下縁には、下方へ延びる相対的に小さな矩形の延出片４３２，４４２（一方のみ示す）が形成されている。さらに、各仕切壁５１，５２にはそれぞれ上縁に上方へ延びる相対的に大きな矩形の延出片５１１，５２１が形成されている。
【００１３】
基台１を組み立てる場合には最初に図３に示すように、仕切壁５１，５２の各延出片５１１，５２１を、その上下の中間位置で折り曲げつつ、折り曲げた先端半部を、外側環状体４の各対向壁４１，４２の内側面に沿うようにこれら対向壁４１，４２との間の空間Ｓ１，Ｓ２内に略逆Ｌ字断面形状で進入させる（図３中の矢印）。
【００１４】
続いて、図４に示すように、外側環状体４の各延出片４１１，４２１を、その上下の中間位置で折り曲げつつ、延出片５１１，５２１を覆って各仕切壁５１，５２の内側面に沿うようにこれら仕切壁５１，５２間の空間Ｓ３内に略逆Ｌ字断面形状で進入させる（図４中の矢印）。これにより、下方へ開放する略Ｕ字断面の支持部１１Ａ，１１Ｂ（図１）が左右位置に形成される。
【００１５】
次に、図５に示すように、外側環状体４の延出片４３１，４４１を左右の仕切壁５１，５２の間の空間Ｓ３内へ折り曲げて当該外側環状体４の内面に沿って位置させるとともに、延出片４３２，４４２を各仕切壁５１，５２と各対向壁４１，４２との間の空間Ｓ１，Ｓ２内へ折り曲げて外側環状体４の内面に沿って位置させる（図５中の矢印）。これにより、左右の支持部１１Ａ，１１Ｂ（図１）の間を連結する連結壁１２Ａ，１２Ｂが形成される。なお、図６には組み立てた基台１を裏返した状態を示す。
【００１６】
組み立てた基台１を自動車の座席上等に置き、既述のように排泄袋２（図１）を被せた後、吸収シート３を載せて用を足す。用を足した後は、吸収シート３を排泄袋２内に収容して袋開口を閉めておく。
【００１７】
上記基台１は、逆Ｕ字断面の左右の支持部１１Ａ，１１Ｂを連結部１２Ａ，１２Ｂで連結した構造であるとともに、これら支持部１１Ａ，１１Ｂ、連結部１２Ａ，１２Ｂが共に二重の板紙で構成されるから、荷重に対して十分な耐久力を発揮する。そして、基台１は全体が略直方体（図１、図６参照）であるから、組み立てた状態でも自動車の車内にコンパクトに収納できる。
【００１８】
組み立てられた基台１は上記組立工程を逆に辿って図２に示す状態とし、さらに外側環状体４を四角から菱形を経て対向壁４１，４２，４３，４４が重なるように押しつぶして、図７に示すような板紙二枚程度の厚みの平板状に折畳むことができる。このようにして折畳んだ基台１は搬送容易であるとともに、自動車の車内の空きスペースにさらに容易に収納することができる。
【図面の簡単な説明】
【００１９】
【図１】本発明の一実施形態を示す、簡易便器の斜視図である。
【図２】基台の組み立て工程を示す斜視図である。
【図３】基台の組み立て工程を示す斜視図である。
【図４】基台の組み立て工程を示す斜視図である。
【図５】基台の組み立て工程を示す斜視図である。
【図６】組み立てられた基台を裏返した状態の斜視図である。
【図７】折畳んだ状態の基台の平面図である。
【符号の説明】
【００２０】
１…基台、１１Ａ，１１Ｂ…支持部、１２Ａ，１２Ｂ…連結壁、２…排泄袋（シート材）、４…外側環状体、４１，４２，４３，４４…対向壁、４１１，４２１，４３１，４３２，４４１，４４２…延出片、５１，５２…仕切壁、５１１，５２１…延出片、Ｓ１，Ｓ２，Ｓ３…空間。
【図１】
2009100838.tif 000003
【図２】
2009100838.tif 000004
【図３】
2009100838.tif 000005
【図４】
2009100838.tif 000006
【図５】
2009100838.tif 000007
【図６】
2009100838.tif 000008
【図７】
2009100838.tif 000009